(57)【特許請求の範囲】
【請求項１】
電子ディスプレイが備えられ、該電子ディスプレイに図柄が描かれた背景を表示し、窓孔を開設した遮蔽幕を該背景上に表示して該背景の一部を該遮蔽幕によって視認できなくすると共に該窓孔を通して該背景の他部分を透視し得るようにし、かつ該窓孔の位置を該背景上にて動画的に移動させることにより該窓孔を通して該背景の透視し得る部分が見え隠れするようにし、その後に該窓孔の移動を停止させ、停止した窓孔を通して視認される背景の図柄が予め定められた特定図柄であるか否かにより大当たりが発生したかどうかを表示することを特徴とした遊技機。
【発明の詳細な説明】
【０００１】
【発明の属する技術分野】
本発明は、電子ディスプレイに特定図柄が表示されることで所定の確率で偶然性をもって大当たりを発生させるパチンコ機等の遊技機に関するものである。
【０００２】
【従来の技術】
遊技盤面にカラー液晶表示器，ＣＲＴ等の電子ディスプレイが設けられた第１種パチンコ遊技機は、遊技者の打った打球がチューリップ型の始動口に入ることで該電子ディスプレイに１〜８の数字および☆◆◎等の記号またはキャラクター等の図柄が夫々上下または左右に流れる如くに複数列（通常は３列）にて変動表示され、その表示の変動は数秒後に順に停止し、その停止図柄が所定の確率（１／３００程度）で偶然性をもって例えば「２２２」，「７７７」，「☆☆☆」のように同一図柄が一直線上に並んだ場合に大当たりを発生させ、可変入賞装置（大入賞口）の開閉扉がソレノイドの作動により繰り返し継続的に開成状態となるようにしたもので、この特別遊技中は該可変入賞装置に打球が極めて入り易い状況となることから、多数の景品球を獲得できて遊技者に多くの利益がもたらされるように構成されたものである。
【０００３】
そして、該電子ディスプレイの表示形態の如何が遊技性，興趣に大きな影響を与えるので、従来からその表示形態にはいわゆる「リーチ」，「予告」等の様々なものが考えられており、それによって遊技者の大当たり発生に対する期待感を大きくさせ、遊技者を楽しませるようにしている。
【０００４】
【発明が解決しようとする課題】
しかしながら、従来の上記のような種々の変動表示形態も次第に新鮮味はなくなり、遊技がマンネリ化し遊技者に飽きられる傾向にある。
そこで本発明は、さらに斬新な表示形態を提供することにより、この種の遊技機の興趣を増大しようとするものである。
【０００５】
【課題を解決するための手段】
そのために本発明の遊技機は、電子ディスプレイが備えられ、該電子ディスプレイに図柄が描かれた背景を表示し、窓孔を開設した遮蔽幕を該背景上に表示して該背景の一部を該遮蔽幕によって視認できなくすると共に該窓孔を通して該背景の他部分を透視し得るようにし、かつ該窓孔の位置を該背景上にて動画的に移動させることにより該窓孔を通して該背景の透視し得る部分が見え隠れするようにし、その後に該窓孔の移動を停止させ、停止した窓孔を通して視認される背景の図柄が予め定められた特定図柄であるか否かにより大当たりが発生したかどうかを表示することを特徴とする。
【０００６】
【発明の実施の形態】
次に発明の実施形態をパチンコ遊技機について図面に従い説明する。図１はこのパチンコ遊技機の遊技盤１の正面を示し、図中、２は該遊技盤１上に設けられたカラー液晶表示器からなる電子ディスプレイ、３，４は普通入賞口、５はソレノイドにより一対の羽根が開閉動し得るように設けられたチューリップ型の始動口、６は上部天入賞口である。７は該始動口５の下方に設けられた大きな長方形状の大入賞口からなる可変入賞装置で、該可変入賞装置７にはソレノイドの作動により開閉動する開閉扉８が設けられ、該可変入賞装置７内には継続入賞口９が設けられている。
【０００７】
図２はＣＰＵ，ＲＯＭ，ＲＡＭ，Ｉ／Ｏからなる遊技制御基板１０に接続される本発明に関連する入出力機器を示したブロック図で、１１は前記始動口５に入賞した打球を検出する始動スイッチ、１２は前記可変入賞装置７への入賞球を計数するカウントスイッチ、１３は前記継続入賞口９への入賞球を検出する特定領域スイッチ、１４は前記普通入賞口３，４，上部天入賞口６への入賞球を検知する入賞口スイッチ、１５は始動口５の羽根を開閉動させるソレノイド、１６は可変入賞装置７の開閉扉８を開閉動させるソレノイドである。また、１７は遊技制御基板１０からの指令により前記電子ディスプレイ２の表示を制御するために設けられた図柄制御基板である。
【０００８】
次に本発明の要部の作動を図３のフローチャートに従って説明する。図３のステップ（１）にて始動スイッチ１１による始動口５への入賞が検知され始動条件が成立すると、ステップ（２）に移行し、特別遊技（大当たり）発生の可否を決定するための乱数と、電子ディスプレイ２に表示される背景およびその図柄の変動を決定するための乱数と、遮蔽幕の変動を決定するための乱数、および、その他の決定要因となる乱数が取得される。
【０００９】
そしてステップ（３）（４）では取得された乱数に従い電子ディスプレイ２に表示すべき背景と遮蔽幕とを選出し、ステップ（５）でこの背景と遮蔽幕とを合成して表示する。即ち、その一例を説明すると、この表示は図４に示したように、背景２０とその前面の遮蔽幕２１との合成画面であって、背景２０は縦横３列に数字が表示され、その左列３段目と中列２段目と右列１段目に共通の図柄「数字７」が表示されたものである。一方、遮蔽幕２１は、左列中段に図柄を１つだけ透視し得る窓孔２２が開設され、中列に図柄を３つとも透視し得る縦長の窓孔２３が開設され、右列中段に同じく図柄を１つだけ透視し得る窓孔２４が開設されたものである。これによって電子ディスプレイ２に当初は図５（ａ）に示したように、窓孔２２から１つの「数字８」だけが透視され、窓孔２３からは３つの「数字６７８」がいずれも透視され、窓孔２４から１つの「数字６」だけが透視された状態にあり、左列の１段目と３段目の数字、および右列の１段目と３段目の数字は遊技者に見えない状態にある。
【００１０】
その後この表示は図５（ｂ）（ｃ）に示したように窓孔２２および窓孔２４が上下に少しだけ移動したり戻ったりすることで、夫々１段目と３段目の数字が見え隠れする状況となる。そして、図５（ｄ）に示したように左側の窓孔２２が下段に移動し停止すれば該窓孔２２に「数字７」が表示される。次いで、右側の窓孔２４が上段に移動し停止すれば（ｅ）に示したように斜め一直線上に「７７７」と同一図柄が並んで表示されることとなるので大当たりが発生し大当たり表示がされ、ステップ（６）からステップ（７）に移行することでソレノイド１６により可変入賞装置７の開閉扉８を継続的に開放する大当たり処理がなされる。また、右側の窓孔２４が下段に移動したり移動しなかった場合は図５（ｆ）に示したように同一図柄が並ぶことなくハズレ表示がされる。
【００１１】
同様の例を図６に従って説明すれば、この背景２０では中列に縦長に大きく「数字７」が表示されているとともに、左列の下段および右列の下段に夫々「数字７」が表示されている。従って左側の窓孔２２と右側の窓孔２４が下段に移動すれば（ｃ）に示したように「７７７」と横一列に並び大当たりとなるが、それ以外の移動によってはハズレになる。従ってこの表示は上記表示に比して大当たりとなる確率を高くした場合に適する。
【００１２】
一方、図７に示した実施形態は、複数の図柄が描かれた背景２０とその遮蔽幕２１からなり、当初は（ａ）に示したように遮蔽幕２１により背景２０の全面が覆われていて、その後、（ｂ）に示したように１つの窓孔２２だけが開設され、さらに（ｃ）に示したように窓孔２３ができ、さらに（ｄ）に示したように窓孔２４ができ、しかもこの３つの窓孔が一直線上にあって「７７７」のように同一図柄が並んで表示されることとなれば大当たりとなり、（ｅ）に示したようにそうでないとハズレとなるものである。なお、図７に示した各窓孔についても上記のように移動，停止を伴うものとすることにより、遊技者に対し大当たり発生への期待感を一層増大させることができる。また、大当たりに関しては、３つ以上の窓孔または最終的に全域を開設し、一直線上に同一図柄が並んだ場合に大当たりとしてもよいし、必ずしも一直線上に並ばなくても、開設した窓孔に同一図柄が表示されれば大当たりとしてもよい。また、各列の図柄現出順序を１，２，３と一律にせず、遊技者に予測ができないようにランダムにすることで興趣をさらに増大させることも可能である。
【００１３】
また、図８に示した実施形態は、当初は（ａ）に示したように複数の図柄が描かれた背景２０の全面が遊技者に見えるように表示され、その後、（ｂ）（ｃ）に示したように遮蔽幕２１によって該背景２０の一部が覆われ、（ｄ）に示したように該遮蔽幕の数が多くなることにより次第に覆われる図柄が多くなり、結果として（ｅ）に示したように窓孔２４が一直線上に並ぶこととなって「７７７」のように同一図柄が並んで表示されることとなれば大当たりとなり、（ｅ）に示したようにそうでないとハズレとなるようにしたものである。このように窓孔２４の数を次第に少なくすることによっても表示できる。
【００１４】
また、図９に示した実施形態は、図７と同様に複数の図柄が描かれた背景２０とその遮蔽幕２１からなり、窓孔２２の大きさを次第に拡大することで、該窓孔２２を通して（ｄ）に示したように同一図柄が並んで表示されることとなれば大当たりとなり、（ｅ）に示したようにそうでないとハズレとなるものである。なおここで窓孔２２の形状を途中で様々に変化させることで、大当たり発生への期待感が増大する。
【００１５】
また、図１０に示した実施形態は、キャラクターが描かれた背景２０と遮蔽幕２１からなり、該遮蔽幕には当初は（ａ）に示したように窓孔２２から該キャラクターの身体の一部だけが視認できるが、該窓孔２２は移動したり拡大することにより次第にそのキャラクターの全貌が視認されるようになり、（ｄ）に示したように所定のキャラクターであった場合は大当たりとなり、（ｅ）に示したように所定のキャラクターでなかった場合はハズレとなるものである。このように、当初は図柄の一部のみを見られるようにし、遊技者にそのキャラクターを想像させることで大当たり発生への期待感が得られる。
【００１６】
また、上記図１０（ｅ）にてハズレとなった場合でも、図１１（ｆ）にその続きを示したように、その図柄の一部を再び遮蔽幕によって隠した後、（ｇ）または（ｈ）に示したように再表示することで大当たりまたはハズレが決せられるようにすることもできる。
また、上記図１０（ｄ）にて大当たりとなった場合、図１２（ｉ）（ｊ）にその続きを示したように、窓孔をさらに拡大し、このキャラクターの一部に所定の表示があるかないかにより、特典（次回の大当たり発生確率の上昇、「確変」と称される）を伴うものであるかどうかが決せられるようにすることもできる。
このように、所定のキャラクターが現れた後、窓孔を移動したり拡大，縮小を行わせ、そのキャラクターが身に付けている副次的な所持品（例えば、満開のバラの花、または枯れた花）の内容によって、より多くの特典を伴った大当たりの有無が決せられるようにしてもよい。また窓孔を移動したり拡大したりする際に、その移動先や拡大後の状態を予め破断線等でうっすらと表示されるようにすることもできる。
【００１７】
また、図１３に示した実施形態は、背景２０に描かれた図柄が途中で移動または出没等の変化をするようにしたもので、この例では、背景２０に描かれたＵＦＯが移動したり出没し、同時に窓孔を移動させることで一旦は現れたＵＦＯがいなくなったりまた現れたりする。そしてその状況によって大当たり発生の有無が遊技者に予告される。
【００１８】
また、図１４に示したように、背景に猫等の動物の図柄が横切る動画を表し、その状況が窓孔を通して視認されるようにし、そのジャンプがうまくできたかどうかによって大当たり発生の有無が示唆され、これらが大当たり発生への予告信号となるようにすることで、その予告を知った遊技者の期待感が一層盛り上げられることを意図するものである。このようにスポーツ，クイズ，ゲーム等の種々の場面を動画によって表示し、その結果によって、リーチ状態を出現させたり、大当たりとしたり、或はその他の特典を付加したりすることができる。
【００１９】
なお、上記のように窓孔を変動させるとき、或はその変動の前後にフラッシュランプを点滅させたり、効果音を出したり、打球発射ハンドルを振動させたりすることで、遊技者に視覚的にも聴覚的にも感覚的にもこの変動が遊技者に伝達されるようにしてもよい。
【００２０】
また図示しないが、遊技盤上に複数の電子ディスプレイを配置し、その複数の電子ディスプレイに所定の図柄が表示されることで、大当たりを発生させるようにすることも可能である。或は、電子ディスプレイの前にソレノイド等によってその図柄を遮蔽する垂幕のようなものが機械的に動くように構成し、その結果として特定図柄が視認されるか否かを問うものとしてもよい。
【００２１】
【発明の効果】
以上実施形態について説明したように本発明の遊技機は、電子ディスプレイが備えられ、図柄が描かれた背景と該背景の一部のみを透視し得る窓孔を開設した遮蔽幕とを該電子ディスプレイに表示し、該遮蔽幕の窓孔を背景上にて動画的に変動させることにより、該窓孔を通して特定図柄が視認されるか否かを表示するものであるので、従来の図柄変動とは趣が大きく異なり、斬新であることからこの種の遊技機の興趣を増大させる顕著な効果がある。
【図面の簡単な説明】
【図１】本発明に係る遊技機の遊技盤の実施形態を示す正面図。
【図２】本発明に係る遊技機の実施形態を示すブロック図。
【図３】本発明に係る遊技機の実施形態を示すフローチャート。
【図４】本発明に係る遊技機の実施形態を示す電子ディスプレイの表示構成図。
【図５】本発明に係る遊技機の実施形態を示す電子ディスプレイの表示推移図。
【図６】本発明に係る遊技機の実施形態を示す電子ディスプレイの表示推移図。
【図７】本発明に係る遊技機の実施形態を示す電子ディスプレイの表示推移図。
【図８】本発明に係る遊技機の実施形態を示す電子ディスプレイの表示推移図。
【図９】本発明に係る遊技機の実施形態を示す電子ディスプレイの表示推移図。
【図１０】本発明に係る遊技機の実施形態を示す電子ディスプレイの表示推移図。
【図１１】本発明に係る遊技機の実施形態を示す電子ディスプレイの表示推移図。
【図１２】本発明に係る遊技機の実施形態を示す電子ディスプレイの表示推移図。
【図１３】本発明に係る遊技機の実施形態を示す電子ディスプレイの表示推移図。
【図１４】本発明に係る遊技機の実施形態を示す電子ディスプレイの表示推移図。
【符号の説明】
１                  遊技盤
２                  電子ディスプレイ
５                  始動口
７                  可変入賞装置
１０                遊技制御基板
２０                背景
２１                遮蔽幕
２２，２３，２４    窓孔
【図１】
0004078069.tif 000002
【図２】
0004078069.tif 000003
【図３】
0004078069.tif 000004
【図４】
0004078069.tif 000005
【図５】
0004078069.tif 000006
【図６】
0004078069.tif 000007
【図７】
0004078069.tif 000008
【図８】
0004078069.tif 000009
【図９】
0004078069.tif 000010
【図１０】
0004078069.tif 000011
【図１１】
0004078069.tif 000012
【図１２】
0004078069.tif 000013
【図１３】
0004078069.tif 000014
【図１４】
0004078069.tif 000015